(57)【要約】【課題】  ヘッドに装着した拭布を、該ヘッドに形成した複数のフラップ間に押し込んで挟持させるタイプの清掃具において、上記フラップによる拭布の挟持力を高める。【解決手段】  ヘッド３の複数カ所に拭布４用係止部１０を形成し、各係止部１０に、先端部が弧状の凸曲縁１７ａに形成された略Ｕ字形の第１フラップ１７と、上記凸曲縁１７ａに適合する弧状の凹曲縁１８ａを備えた略Ｍ字形の第２フラップ１８とを形成し、これらのフラップを、ヘッド３の表面側に向けて凸形に湾曲する形とする。めの複数の鰐口１６が形成されている。【選択図】        図１
2006239174.tif 000002
【特許請求の範囲】
【請求項１】
柄の先端に拭布保持用のヘッドを有し、このヘッドに拭布を装着して清掃する清掃具において、
上記ヘッドが、装着した拭布を係止させるための係止部を複数カ所に有していて、各係止部には、スリットで区画されて相互間に拭布を弾力的に挟持する複数のフラップが形成され、これらのフラップが、ヘッドの表裏面方向に湾曲した形をしていることを特徴とする清掃具。
【請求項２】
上記係止部における複数のフラップが、ヘッドの幅方向に内側から外側に向けて延設されて先端部に弧状の凸曲縁を有する略Ｕ字形の第１フラップと、この第１フラップの先端部と相対する位置に形成され、上記凸曲縁に適合する弧状の凹曲縁を備えた略Ｍ字形の第２フラップとからなり、これらのフラップが、ヘッドの表面側に向けて凸形に湾曲していることを特徴とする請求項１に記載の清掃具。
【請求項３】
上記第２フラップが、上記凹曲縁の両側の位置に拭布に係止するエッジを有することを特徴とする請求項２に記載の清掃具。
【請求項４】
上記ヘッドが、合成樹脂製の基板と、該基板の下面に取り付けられたパッドとからなっていて、上記基板は、長手方向両端部寄りの位置に該基板の表面側に向けて凸形に湾曲する湾曲部を有し、この湾曲部上の位置に上記係止部が設けられていることを特徴とする請求項１から３の何れかに記載の清掃具。
【発明の詳細な説明】
【技術分野】
【０００１】
本発明は清掃具に関するものであり、更に詳しくは、柄の先端に取り付けられた拭布保持用ヘッドに拭布を装着して使用するタイプの清掃具に関するものである。
【背景技術】
【０００２】
柄の先端に取り付けられた拭布保持用ヘッドに拭布を装着し、床面等を清掃するタイプの清掃具は、例えば特許文献１や特許文献２あるいは特許文献３に記載されているように従来から各種構成のものが提案されている。この清掃具は、ヘッドに装着した拭布を装着状態に保持させるため、該ヘッドの一部に係止用のスリットを放射状あるいは鋸歯状に形成し、このスリット内に拭布の一部を押し込んで挟持させるようにしている。このとき、上記スリットで区画、形成される複数のフラップが弾力的に変形し、相対するフラップ間あるいは隣接するフラップ間に上記拭布が挟持される。
【特許文献１】実用新案登録第２５０７３００号公報
【特許文献２】登録実用新案第３０２３１６７号公報
【特許文献３】実開昭４９−６８２６３号公報
【発明の開示】
【発明が解決しようとする課題】
【０００３】
ところが、上記スリットによって区画、形成されるフラップは薄肉で平坦であるため、柔軟で変形し易く、拭布に引き抜き方向の引張力が作用すると該拭布に引っ張られて容易に変形し、スリットが開いて拭布が外れ易いという欠点があった。
また、上記フラップはＶ字形又は鋸歯形をしていて、先端部に尖ったエッジを有しているため、スリット内に指で拭布を押し込んだときこのエッジが指に当たり、痛い思いをしたり指先が傷付けられることも多かった。
【０００４】
そこで本発明の主要な目的は、ヘッドに形成したスリットに拭布を押し込んで挟持させるタイプの清掃具において、スリットで区画、形成されるフラップを、拭布に引き抜き方向の引張力が作用しても変形しにくい構成とすることにより、該拭布の挟持力を高めることにある。
【０００５】
本発明の従属的な目的は、上記清掃具において、上記スリット内に拭布を指で押し込んだとき、フラップに形成された尖鋭なエッジによって指に痛みを感じたり指先が傷付けられたりするのを防止することにある。
【課題を解決するための手段】
【０００６】
上記目的を達成するため、本発明は、柄の先端に拭布保持用のヘッドを有し、このヘッドに拭布を装着して清掃する清掃具において、上記ヘッドが、装着した拭布を係止させるための係止部を複数カ所に有していて、各係止部には、スリットで区画されて相互間に拭布を弾力的に挟持する複数のフラップが形成され、これらのフラップが、ヘッドの表裏面方向に湾曲した形をしていることを特徴とするものである。
【０００７】
本発明においては、上記係止部における複数のフラップが、ヘッドの幅方向に内側から外側に向けて延設されて先端部に弧状の凸曲縁を有する略Ｕ字形の第１フラップと、この第１フラップの先端部と相対する位置に形成され、上記凸曲縁に適合する弧状の凹曲縁を備えた略Ｍ字形の第２フラップとからなり、これらのフラップが、ヘッドの表面側に向けて凸形に湾曲していることが望ましい。
この場合、上記第２フラップには、上記凹曲縁の両側の位置に拭布に係止するエッジが形成される。
【０００８】
また、本発明の好ましい構成態様によれば、上記ヘッドが、合成樹脂製の基板と、該基板の下面に取り付けられたパッドとからなっていて、上記基板は、長手方向両端部寄りの位置に該基板の表面側に向けて凸形に湾曲する湾曲部を有し、この湾曲部上の位置に上記係止部が設けられている。
【発明の効果】
【０００９】
本発明によれば、拭布を挟持するフラップがヘッドの表裏面方向に湾曲した形をしているので、従来品が有する平坦なフラップに比べて変形しにくく、従って、挟持した拭布に引き抜き方向の引張力が作用しても該フラップは変形せず、拭布の挟持力が高まることになる。
【００１０】
また、相対するフラップの一方の先端部を凸曲縁状に形成し、他方を凹曲縁状に形成することにより、これら両フラップの間に拭布を指で押し込んだ時に上記凹曲縁が指先に当たることになり、従来品のように尖ったエッジが指に当たらないため、指に痛みを感じたり指先が傷付けられたりすることがない。
【発明を実施するための最良の形態】
【００１１】
各図は、本発明に係る清掃具をフローリングワイパーとして構成した場合の実施形態を示すもので、この清掃具は、図１に示すように、柄２の先端に拭布保持用のヘッド３を取り付けてなる清掃具本体１と、上記ヘッド３に着脱自在に装着される拭布４とから構成されるもので、床面等の清掃に使用されるものである。
【００１２】
上記清掃具本体１において、上記柄２は伸縮自在に形成され、上端部にグリップ２ａが取り付けられると共に、下端部にジョイント部材２ｂが取り付けられていて、このジョイント部材２ｂを介して上記ヘッド３の上面中央部に連結され、前後、左右、斜めの全方向に旋回自在かつ任意の角度に起倒自在となっている。
【００１３】
一方、上記ヘッド３は、ポリエチレン等の合成樹脂素材からなる基板６と、該基板６の下面（裏面）に適宜手段で取り付けられた柔軟性のパッド７とで構成されている。このパッド７は、合成樹脂を発泡させて形成したスポンジ体や、不織布や織布等を単独であるいは積層して厚めに形成した布等からなるもので、その好ましい厚さは５〜１０ｍｍ程度であり、上記基板６と拭布４との間に介在することによって清掃時のクッション性を高めるものである。このパッド７は、上記基板６よりやや大きめに形成することが望ましい。
【００１４】
上記基板６は、横に細長い矩形の平面形状をなしていて、図２及び図３からも分かるように、長さ方向両端部寄りの位置に、該基板６の上下面方向即ち表裏面方向に湾曲する湾曲部９，９が、該基板６の幅全体にわたり延在するように形成されている。具体的に説明すると、上記湾曲部９は、基板６の上面側に向けて滑らかな凸形に湾曲していて、その凸状部は基板６の幅方向の一端側から他端側まで連続して延びており、この湾曲部９の位置に、後で詳述する拭布を係止させるための係止部１０が形成されている。
【００１５】
また、上記各湾曲部９の形成位置において基板６の幅方向の両側端部には、図４からも分かるように、補強用の側壁１１が該湾曲部９の両端を塞ぐように形成されている。
更に、上記基板６の上面の幅方向の中間位置には、上記各湾曲部９からそれぞれ基板６の中央に向けて軸線方向に延びる補強用と軸受用とを兼ねる突壁部１２が形成され、該基板６のほぼ中央部においてこれらの突壁部１２，１２間に連結軸１３が設けられ、この連結軸１３に上記柄２がジョイント部材２ｂを介して連結されている。
【００１６】
上記基板６の下面に上記パッド７を取り付ける方法としては、接着剤や両面接着テープ等を使用して該パッド７を固定的に接着する方法があるが、該パッド７を着脱自在とする場合には面ファスナーを使用することが望ましい。即ち、この面ファスナーを構成する雄側係止帯と雌側係止帯のうち、多数の鈎形突起を有する雄側係止帯を上記基板６に取り付け、多数のループを有する雌側係止帯をパッド７に取り付ければ良い。あるいは、合成樹脂製の多数の鈎形突起を基板６の下面全体又は必要な一部に一体に形成し、この鈎形突起に係止する多数のループをパッド７の上面全体又は一部に形成しても良い。この場合、上記ループは、パッド７をパイル織りするか、あるいは、パイル織りした布地を該パッド７の上面に積層するなどの方法によって形成することができる。
【００１７】
次に、拭布係止用の上記係止部１０について詳述する。この係止部１０は、図１及び図２から明らかなように、上記基板６に設けられた各湾曲部９上にそれぞれ２つずつ形成されていて、それらは、該基板６の幅方向の一端側と他端側とに互いに対象をなすように配設されている。この係止部１０は、基板６の厚さを他の部分より薄肉化した平面視略矩形の係止部形成領域１５内に形成されていて、図５及び図６からも分かるように、スリット１６により区画、形成された第１フラップ１７及び第２フラップ１８を有し、これらのフラップ１７，１８の間に拭布４の一部を弾力的に挟持して係止させるものである。
【００１８】
上記第１フラップ１７は、基板６の幅方向に該基板６の内側から外側に向けて細長く延びていて、先端部に滑らかな弧状をなす凸曲縁１７ａを有しており、先端側に向かって次第に幅が狭くなっている。従ってこの第１フラップ１７は、次第に先狭まりをなす略Ｕ字状の平面形状を有している。これに対して上記第２フラップ１８は、第１フラップ１７の先端部と相対する位置に基板６の内側に向けて形成され、先端部に上記凸曲縁１７ａに適合する滑らかな弧状をなす凹曲縁１８ａを備えると共に、該凹曲縁１８ａの両側に基板６の内側を向く尖鋭なエッジ１８ｂを備えており、その平面形状はやや先狭まりをなす略Ｍ字状をなしている。
【００１９】
上記第１フラップ１７は、スリット１６内に拭布４を押し込むに当たり、指でそれを押して弾性変形させることにより上記スリット１６を開くためのものであり、また、第２フラップ１８は、スリット１６内に押し込まれた拭布４を上記第１フラップ１７との間に挟持し、あるいは上記エッジ１８ｂに係止させて保持させるためのものである。従って、上記第１フラップ１７は、拭布押し込み時の弾性変形が容易であるように、上記係止部形成領域１５の一端側からその中間点を過ぎた位置当たりまで達する程度にその長さを長く形成されており、これに対して上記第２フラップ１８は、ある程度の剛性によって十分な拭布４の保持力が得られるように、上記係止部形成領域１５の他端側からその中間点までは達しない程度に長さを短く形成されている。また、上記第１フラップ１７の先端部上面には、指で押し易くするための円形の窪み１７ｂが形成されている。
【００２０】
上記第１フラップ１７及び第２フラップ１８は、図７に第１フラップ１７で代表的に示すように、上記湾曲部９上にその頂点を跨いで左右両側の傾斜面にかかるように形成されており、これにより、上記両フラップ１７，１８は、基板６の上面側に向けて滑らかな凸形に湾曲した形に形成されている。このような湾曲形状を有する上記両フラップ１７，１８は、従来の清掃具に形成された平坦なフラップに比べて変形しにくく、このため、拭布４をスリット１６内に押し込んで挟持させたあと、該拭布４に引き抜き方向の引張力が作用しても、これらのフラップ１７，１８が拭布４に引っ張られて簡単に変形するようなことはなく、拭布４の挟持力が高まることになる。
【００２１】
上記拭布４は、不織布からなる薄いシート状の拭布４であり、その好ましい厚さは１〜３ｍｍ程度である。また、上記不織布を構成する繊維は、繊維径が１０〜３０μｍ程度の極細繊維か９μｍ以下の超極細繊維を少なくとも一部に含んでいることが望ましく、それらの両方を含んでいても良い。
【００２２】
上記構成を有する清掃具を使用するときは、図１に示すように、上記拭布４を広げてヘッド３の下面に当て、該拭布４の両端部をヘッド３の幅方向両側端部を包み込むようにしてヘッド３の上面側に折り返し、各係止部１０におけるスリット１６内に押し込んで係止させる。その操作は、上記拭布４の上から第１フラップ１７を押し下げて弾性変形させることにより、第２フラップ１８との間のスリット１６を拡大させると共に、拡大したスリット１６を通じて拭布４の端部を押し込むことにより行う。これにより上記拭布４は、両フラップ１７，１８の間に挟持されることになる。このときの状態が図６に鎖線で示されている。
【００２３】
上記押し込み操作時には、指先が拭布４を介して第２フラップ１８の先端に接触することになるが、この第２フラップ１８の先端は滑らかな弧状の凹曲縁１８ａとなっているため、指が接触しても痛みを感じたり傷付けられたりすることがない。従って、フラップがＶ字形又は鋸歯形をしていて先端に尖ったエッジを有する従来品に比べ、安全で作業を行い易い。
【００２４】
また、上記拭布４を装着した清掃具は床面等の清掃に使用されるが、その際、上記拭布４に摩擦力等が作用し、該拭布４の端部がスリット１６から抜け出す方向に引っ張られたとしても、両フラップ１７，１８がヘッド３の表裏面方向に湾曲した形をしていて変形しにくいため、それらの挟持力は非常に大きく、拭布４がスリット１６から不意に抜け出すことはない。
【００２５】
なお、上記湾曲部９は、基板６の幅方向の中央部において最も高さが高くなるように若干傾斜した状態に形成されているが、一定の形状及び高さを保ったまま基板６の幅全体に連続して延びていても良い。あるいは、このように湾曲部を連続的に形成することなく、上記係止部１０を形成する位置だけに上向きに湾曲する湾曲部を局部的に形成することもできる。
更に、図示した例では、上記係止部１０が基板６と一体に形成されているが、係止部形成領域１５の部分を独立物品として基板６とは別に形成し、これを基板６に取り付けるように構成することもできる。
【図面の簡単な説明】
【００２６】
【図１】本発明に係る清掃具の一実施形態を示す斜視図である。
【図２】上記清掃具のヘッドの平面図である。
【図３】上記ヘッドの側面図である。
【図４】図２におけるＡ−Ａ線での拡大断面図である。
【図５】図２において一つの係止部を拡大して示す要部拡大図である。
【図６】図４における要部拡大図である。
【図７】図５におけるＢ−Ｂ線での拡大断面図である。
【符号の説明】
【００２７】
２      柄
３      ヘッド
４      拭布
６      基板
７      パッド
９      湾曲部
１０      係止部
１６      スリット
１７      第１フラップ
１７ａ      凸曲縁
１８      第２フラップ
１８ａ      凹曲縁
１８ｂ      エッジ
【図１】
2006239174.tif 000003
【図２】
2006239174.tif 000004
【図３】
2006239174.tif 000005
【図４】
2006239174.tif 000006
【図５】
2006239174.tif 000007
【図６】
2006239174.tif 000008
【図７】
2006239174.tif 000009